(57)【要約】【課題】  巻取紙の紙継ぎ時に巻取紙先端及び耳部が風圧により反り返るのを防止する。【解決手段】  巻取紙Ｐの表層部分を切断除去して巻取紙Ｐの先端部分を繰り出す巻取紙繰り出し工程と、巻取紙Ｐの繰り出し部分を略Ｖ字状に切断し、巻取紙Ｐの先端部表面に略Ｖ字状の紙継ぎ用粘着層１ａを形成する切断・粘着層形成工程と、巻取紙Ｐの頂点部分を幅方向に切断する切断工程と、シート基材２ａの表面に紙継ぎ用粘着層２ｂを有すると共に、シート基材２ａの裏面に巻取紙Ｐの先端部表面に貼着される粘着層２ｃ及び巻取紙Ｐの外表面に貼着される表層剥離可能な粘着部２ｄを夫々備えた紙継ぎ用前処理テープ２を、その粘着部２ｄが巻取紙Ｐの先端から前方へ突出する状態で巻取紙Ｐの先端部表面に貼着する前処理テープ貼着工程と、巻取紙Ｐの先端部を巻き戻して紙継ぎ用前処理テープ２の粘着部２ｄを巻取紙Ｐの外表面へ貼着する巻取紙Ｐの先端部止着工程とから成る。【選択図】      図２
2006036372.tif 000002
【特許請求の範囲】
【請求項１】
正逆回転自在に支持された巻取紙（Ｐ）の表層部分を幅方向に切断して除去し、巻取紙（Ｐ）の切断された先端部分をテーブル（５）上へ繰り出す巻取紙繰り出し工程と、テーブル（５）上に繰り出された巻取紙（Ｐ）の繰り出し部分を略Ｖ字状に切断すると共に、巻取紙（Ｐ）の略Ｖ字状の先端部表面に切断端に沿って両面粘着テープ（１）を貼着して紙継ぎ用粘着層（１ａ）を形成する切断・粘着層形成工程と、巻取紙（Ｐ）の紙継ぎ用粘着層（１ａ）を形成していない先端部の頂点部分を巻取紙（Ｐ）の幅方向に切断して巻取紙（Ｐ）の先端部を略台形状に形成する切断工程と、長尺状のシート基材（２ａ）の表面に紙継ぎ用粘着層（２ｂ）を有すると共に、シート基材（２ａ）の裏面の両側部に巻取紙（Ｐ）の先端部表面に貼着される粘着層（２ｃ）及び巻取紙（Ｐ）の外表面に貼着される表層剥離可能な粘着部（２ｄ）を夫々備えた紙継ぎ用前処理テープ（２）を、その粘着部（２ｄ）が巻取紙（Ｐ）の幅方向に切断された先端から前方へ突出する状態で巻取紙（Ｐ）の幅方向に切断された先端部表面に切断端に沿って貼着する前処理テープ貼着工程と、巻取紙（Ｐ）の先端部を巻取紙（Ｐ）本体側へ巻き戻して紙継ぎ用前処理テープ（２）の粘着部（２ｄ）を巻取紙（Ｐ）の外表面へ貼着する巻取紙（Ｐ）の先端部止着工程とから構成したことを特徴とする巻取紙の紙継ぎ用前処理方法。
【請求項２】
紙継ぎ用粘着層（２ｂ）を黒色に形成した水溶性の紙継ぎ用前処理テープ（２）を、その粘着部（２ｄ）が巻取紙（Ｐ）の幅方向に切断された先端から前方へ突出する状態で巻取紙（Ｐ）の幅方向に切断された先端部表面に切断端に沿って貼着し、黒色の紙継ぎ用粘着層（２ｂ）を巻取紙（Ｐ）の紙継ぎを検出するためのセンサー用タブと兼用させたことを特徴とする請求項１に記載の巻取紙の紙継ぎ用前処理方法。
【請求項３】
巻取紙（Ｐ）を水平姿勢で正逆回転自在に支持する巻取紙支持装置（３）と、巻取紙支持装置（３）に支持された巻取紙（Ｐ）の表層部分を幅方向に切断して巻取紙（Ｐ）の切断された先端部分をめくり出す切断剥離装置（４）と、巻取紙（Ｐ）から繰り出された先端部分を支持するテーブル（５）と、テーブル（５）の両側上方位置に対向状態で且つテーブル（５）の斜め幅方向へ往復走行自在に配設され、テーブル（５）上に繰り出された巻取紙（Ｐ）の繰り出し部分を略Ｖ字状に切断するカッター装置（１７）及び略Ｖ字状に切断された巻取紙（Ｐ）の先端部表面に切断端に沿って両面粘着テープ（１）を貼着して紙継ぎ用粘着層（１ａ）を形成する粘着層形成装置（１８）を夫々備えた一対の主処理器（６）と、テーブル（５）の上方位置に一対の主処理器（６）と干渉することなく巻取紙（Ｐ）の幅方向へ往復走行自在に配設されたテープ貼着ユニット（７）とから構成されており、前記テープ貼着ユニット（７）は、巻取紙（Ｐ）の紙継ぎ用粘着層（１ａ）を形成していない先端部の頂点部分を巻取紙（Ｐ）の幅方向に切断する頂点切りカッター装置（３８）と、長尺状のシート基材（２ａ）の表面に紙継ぎ用粘着層（２ｂ）を有すると共に、シート基材（２ａ）の裏面の両側部に巻取紙（Ｐ）の先端部表面に貼着される粘着層（２ｃ）及び巻取紙（Ｐ）の外表面に貼着される表層剥離可能な粘着部（２ｄ）を夫々備えた紙継ぎ用前処理テープ（２）を、その粘着部（２ｄ）が巻取紙（Ｐ）の幅方向に切断された先端から前方へ突出する状態で巻取紙（Ｐ）の先端部表面に切断端に沿って貼着する前処理テープ貼着装置（３９）とを備えていることを特徴とする巻取紙の紙継ぎ用前処理装置。
【請求項４】
前処理テープ貼着装置（３９）は、一対の主処理器（６）と干渉することなく巻取紙（Ｐ）の幅方向へ往復走行する走行台（３４）に昇降自在に配設された昇降板（３７）と、昇降板（３７）に回転自在に支持された前処理テープ供給リール（４０）と、前処理テープ供給リール（４０）に着脱自在に支持され、長尺状のシート基材（２ａ）、シート基材（２ａ）の表面に形成された紙継ぎ用粘着層（２ｂ）、紙継ぎ用粘着層（２ｂ）の表面に剥離自在に貼着された長尺状の保護紙（２ｅ）、シート基材（２ａ）の裏面の両側部に夫々形成された粘着層（２ｃ）及び表層剥離可能な粘着部（２ｄ）を夫々備え、粘着層（２ｃ）及び粘着部（２ｄ）が外側を向く状態でロール状に巻かれた紙継ぎ用前処理テープ（２）と、昇降板（３７）に回転自在に支持され、紙継ぎ用前処理テープ（２）の繰り出し部分をテーブル（５）上の巻取紙（Ｐ）の先端部表面に押圧貼着する押圧ローラ（４１）と、昇降板（３７）に揺動自在に配設され、紙継ぎ用前処理テープ（２）の繰り出し部分を押圧ローラ（４１）上で保持する針（４２ａ）を備えたアーム体（４２）と、昇降板（３７）に回転自在に支持され、押圧ローラ（４１）上で剥離された紙継ぎ用前処理テープ（２）の保護紙（２ｅ）を巻き取る保護紙巻取りリール（４４）と、昇降板（３７）に配設され、巻取紙（Ｐ）の先端部表面に貼着された紙継ぎ用前処理テープ（２）を切断するテープ用カッター（４７）とから構成されていることを特徴とする請求項３に記載の巻取紙の紙継ぎ用前処理装置。
【請求項５】
紙継ぎ用前処理テープ（２）を水溶性とすると共に、紙継ぎ用前処理テープ（２）の紙継ぎ用粘着層（２ｂ）を黒色に形成し、当該黒色の紙継ぎ用粘着層（２ｂ）を巻取紙（Ｐ）の紙継ぎを検出するためのセンサー用タブと兼用させたことを特徴とする請求項３又は請求項４に記載の巻取紙の紙継ぎ用前処理装置。
【発明の詳細な説明】
【技術分野】
【０００１】
本発明は、印刷用輪転機の給紙部へ搬入される新聞印刷用の巻取紙や商業印刷用の巻取紙に紙継ぎ用の前処理を施すための巻取紙の紙継ぎ用前処理方法及びその装置の改良に係り、特に、巻取紙の先端部表面に略Ｖ字状の紙継ぎ用粘着層を形成するための両面粘着テープと、同じく紙継ぎ用前処理に用いるタブと両面粘着テープを一体化した構造の紙継ぎ用前処理テープの両方のテープを使用して巻取紙に紙継ぎ用の前処理を施すようにした巻取紙の紙継ぎ用前処理方法及びその装置に関するものである。
【背景技術】
【０００２】
一般に、新聞等の印刷用輪転機に於いては、給紙部に設けた巻取紙支持装置（三叉アーム等）から印刷用輪転機に繰り出されている巻取紙の残量が少なくなったら、巻取紙支持装置に予めセットしている別の新しい巻取紙の先端部を印刷用輪転機へ繰り出されている巻取紙の走行部分に接着により紙継ぎし、新しい巻取紙を連続して印刷用輪転機へ繰り出すようにしている。そのため、新しい巻取紙の先端部には、印刷用輪転機の給紙部に於いて巻取紙の自動紙継ぎを行えるように予め紙継ぎ用前処理が施されている。
【０００３】
近年、新聞印刷用の巻取紙や商業印刷用の巻取紙の紙継ぎ用前処理は、人件費の削減や作業能率の向上等を図るために自動化されており、例えば特許第２０９３３８５号公報（特許文献１）、特許第３３６１１８１号公報（特許文献２）、特許第３２６４８４４号公報（特許文献３）及び特許第３２６４８４０号公報（特許文献４）等に開示された方法や装置を用いて行われている。
【０００４】
即ち、新聞印刷用の巻取紙Ｐの紙継ぎ用前処理は、巻取紙Ｐの表層部分（汚損部分）を取り除いた後、巻取紙Ｐの奇麗な部分を略Ｖ字状に切断加工すると共に、巻取紙Ｐの略Ｖ字状の先端部表面に切断端に沿って両面粘着テープを略Ｖ字状に貼着して紙継ぎ用粘着層ａを形成し、その後巻取紙Ｐがほぐれないように巻取紙Ｐの先端部をタブＴにより巻取紙Ｐの外表面へ止着するようにしている（図１６（Ａ）参照）。
又、商業印刷用の巻取紙Ｐの紙継ぎ用前処理は、巻取紙Ｐの表層部分（汚損部分）を取り除いた後、巻取紙Ｐの奇麗な部分を巻取紙Ｐの一側端から他側端へ向って巻取紙Ｐの軸心と平行に又は巻取紙Ｐの軸心に対して斜めに一直線状に切断加工すると共に、巻取紙Ｐの先端部表面に切断端に沿って両面粘着テープを一直線状に貼着して紙継ぎ用粘着層ａを形成し、その後巻取紙Ｐがほぐれないように巻取紙Ｐの先端部を複数枚のタブＴにより巻取紙Ｐの外表面へ止着するようにしている（図１６（Ｂ）参照）。
更に、新聞印刷用の巻取紙Ｐ及び商業印刷用の巻取紙Ｐの先端部表面には、巻取紙Ｐの紙継ぎ部分を検出するための短冊状の赤紙や青紙等の耳紙（図示省略）と、自動紙継ぎが行われたか否かを検知するための黒色のセンサー用タブ（図示省略）とが夫々貼着されている。
【０００５】
尚、新聞印刷用の巻取紙Ｐの先端部を略Ｖ字状に切断加工するのは、巻取紙Ｐの紙継ぎ時に回転している巻取紙Ｐの先端部が風をはらまないようにするためである。何故なら、巻取紙Ｐの先端部を略Ｖ字状に切断加工すると、巻取紙Ｐの先端部を巻取紙Ｐ本体側へ巻き取ったときに、巻取紙Ｐの切断端が巻取紙Ｐの外表面へスパイラル状になって巻き付けられ、巻取紙Ｐの切断端が巻取紙Ｐの外表面へ密接して巻取紙Ｐの先端部と巻取紙Ｐの外表面との間に空気が入り難くなるからである。
又、商業印刷用の巻取紙Ｐの先端部を巻取紙Ｐの幅方向へ一直線状に切断加工するのは、商業印刷用の巻取紙Ｐの紙継ぎ速度が新聞印刷用の巻取紙Ｐの紙継ぎ速度よりも遅く、その紙厚も新聞印刷用の巻取紙Ｐの紙厚よりも厚いので、巻取紙Ｐの紙継ぎ時に先端部が風をはらむ心配がないからであり、然も、先端部を略Ｖ字状に切断加工するようにした新聞印刷用の巻取紙Ｐに比較して、切断加工等の作業を比較的容易に行えるからである。
【０００６】
一方、近年、巻取紙Ｐの紙継ぎ用前処理作業の簡素化やスピード化等を図るため、紙継ぎ用粘着層ａを形成するための両面粘着テープと巻取紙Ｐの先端部を巻取紙Ｐの外表面へ止めるためのタブＴとを一体化した構造の新しい紙継ぎ用前処理テープ６０（ＴＥＳＡテープの商品名で市販されている）が開発され、一部の新聞印刷工場等に於いて巻取紙Ｐの紙継ぎ用前処理に使用されている。この紙継ぎ用前処理テープ６０を用いた紙継ぎ用前処理は、本件出願人が先に自動化しており、特許第３５１５７７３号公報（特許文献５）として公開している。
【０００７】
即ち、前記紙継ぎ用前処理テープ６０を用いた巻取紙Ｐの紙継ぎ用前処理は、シート基材の表面に紙継ぎ用粘着層６０ａ及び巻取紙Ｐの先端部に貼着される粘着層６０ｂを有すると共に、シート基材の裏面に巻取紙Ｐの外表面へ貼着される表層剥離可能な粘着部６０ｃを備えた紙継ぎ用前処理テープ６０を使用し、当該紙継ぎ用前処理テープ６０の粘着層６０ｂを幅方向に切断された巻取紙Ｐの先端部裏面に貼着し、又、紙継ぎ用前処理テープ６０の粘着部６０ｃを巻取紙Ｐの外表面へ貼着することによって、巻取紙Ｐの先端部を巻取紙Ｐの外表面へ止着するようにしている（図１７参照）。
【０００８】
而して、紙継ぎ用前処理が施された新しい巻取紙Ｐを印刷用輪転機へ繰り出されている使用中の巻取紙Ｐ′に紙継ぎするには、図１８に示す如く、新しい巻取紙Ｐをほぐれる方向へ回転させてその周速度が使用中の巻取紙Ｐ′の走行速度と同じ速度になるようにし、この状態で使用中の巻取紙Ｐ′の走行部分をブラシ６１により新しい巻取紙Ｐの外表面へ押圧接触させる。そうすると、使用中の巻取紙Ｐ′の走行部分と新しい巻取紙Ｐの先端部とが紙継ぎ用粘着層ａ，６０ａにより貼着接続されると共に、新しい巻取紙Ｐの先端部を止めているタブＴが切断又は紙継ぎ用前処理テープ６０の粘着部が表層剥離される。その後、使用中の巻取紙Ｐ′の走行部分が切断装置６２により幅方向に亘って切断される。その結果、新しい巻取紙Ｐの始端部は、巻取紙Ｐの外表面から外れて印刷用輪転機へ連続的に供給されて行くことになる。
【０００９】
ところで、最近の新聞印刷に於いては、印刷用輪転機の印刷速度の向上と巻取紙Ｐの軽量化に伴い、上述した紙継ぎ用前処理方法や紙継ぎ用前処理装置を用いて巻取紙Ｐに紙継ぎ用の前処理を施した場合、印刷用輪転機の給紙部に於いて巻取紙Ｐの紙継ぎを確実且つ良好に行えないと云う問題が発生している。
【００１０】
即ち、新聞印刷に於いては、印刷用輪転機の印刷速度の高速化に伴って紙継ぎ時に於ける巻取紙Ｐの回転速度も高速化して来ており、近年では一時間当たり１５万部、最近では一時間当たり１７万部の新聞を印刷できるようになっている。このときの巻取紙Ｐの走行速度は、１５万部／時では１１．３７５ｍ／ｓｅｃ（約４１ｋｍ／Ｈ）、１７万部／時では１２．８９１ｍ／ｓｅｃ（約４６ｋｍ／Ｈ）となっている。そのため、紙継ぎ用前処理が施された新しい巻取紙Ｐは、印刷用輪転機の給紙部に於いて高速回転することになり、紙継ぎが終了するまで台風並みの風速に耐えなければならないことになる。
又、新聞印刷用の巻取紙Ｐは、インキの速乾性の向上や巻取紙Ｐのコスト低減により紙厚（紙の重さで表す）が薄くなって来ており、近年ではその紙厚が４３ｇ／ｍ2 、最近ではその紙厚が４０ｇ／ｍ2 となっている。そのため、巻取紙Ｐの紙自体の腰も可なり弱くなって来ている。
【００１１】
従って、巻取紙Ｐの先端部を略Ｖ字状に切断加工し、巻取紙Ｐの先端部をタブＴにより巻取紙Ｐの外表面へ止めるようにした紙継ぎ用前処理（図１６（Ａ））に於いては、略Ｖ字状に切断加工された巻取紙Ｐの切断端は巻取紙Ｐの外表面へ密接しているため、この部分は紙の腰が弱くても台風並みの風速に耐えられる。
然し乍ら、タブＴの一端部を巻取紙Ｐの先端部裏面に貼着して巻取紙Ｐの先端部を巻取紙Ｐの外表面へ止着するような場合には、図１６（Ａ）に示す如く、タブＴの粘着部Ｔａが巻取紙Ｐの切断端からはみ出すことがないように切断端から少し内側の位置（切断端から５〜６ｍｍの位置）にタブＴを貼着するようにしているため、巻取紙Ｐの紙継ぎ時に巻取紙Ｐが高速回転し且つ巻取紙Ｐの紙自体の腰が弱いこととも相まって、巻取紙Ｐの先端部の頂点部分が台風並みの風速に耐えられず、風をはらんで反り返ると云う問題があった。
又、巻取紙Ｐの先端部をタブＴにより巻取紙Ｐの外表面へ止めるようにした紙継ぎ用前処理は、特許第３３６１１８１号公報等に開示された極めて複雑な構造のタブＴ貼着装置を別に必要とし、紙継ぎ用前処理装置自体の構造が複雑化すると共に、コストの高騰を招くと云う問題もあった。
【００１２】
一方、巻取紙Ｐの先端部を幅方向へ一直線状に切断加工し、巻取紙Ｐの先端部を複数枚のタブＴや紙継ぎ用前処理テープ６０により巻取紙Ｐの外表面へ止めるようにした紙継ぎ用前処理（図１６（Ｂ）及び図１７）に於いても、巻取紙Ｐの紙継ぎ時に巻取紙Ｐが高速回転し且つ巻取紙Ｐの紙自体の腰が弱いこととも相まって、巻取紙Ｐの先端部の両側部分（左右の耳部）が台風並みの風速に耐えられず、風をはらんで反り返ると云う問題があった。
尚、巻取紙Ｐの左右の耳部が回転中（助走中）の風圧によって反り返るのを防止するために紙継ぎ用前処理テープ６０を巻取紙Ｐの左右の耳部の端まで貼った場合、巻取紙Ｐの紙継ぎ時に走行紙の耳部に負担がかかり、耳が裂けて断紙すると云う問題が発生した。
又、商業印刷の中でも電話帳用の巻取紙は、新聞印刷用の巻取紙と同様に紙厚が薄く腰も弱いため、将来印刷速度が高速化した場合、紙継ぎ部分がターンバー、ガイドロールを通過する際に耳部がターンバー、ガイドロール上で反り返ることになるので、従来の一文字形の紙継ぎ用前処理では前記問題を解決することは困難である。
【００１３】
このように、従来の紙継ぎ用前処理方法や紙継ぎ用前処理装置を用いて巻取紙Ｐに紙継ぎ用の前処理を施した場合、印刷用輪転機の印刷速度の向上と巻取紙Ｐの軽量化に伴って、巻取紙Ｐの略Ｖ字状の頂点部分及び巻取紙Ｐの幅方向に切断された先端部の両端部分（左右の耳部）が風をはらむことになり、その結果、巻取紙Ｐの先端部が外表面から外れたり、巻取紙Ｐの先端部が変形したり、或いは紙切れを引き起こして紙継ぎを確実且つ良好に行えないことになる。
【特許文献１】特許第２０９３３８５号公報
【特許文献２】特許第３３６１１８１号公報
【特許文献３】特許第３２６４８４４号公報
【特許文献４】特許第３２６４８４０号公報
【特許文献５】特許第３５１５７７３号公報
【発明の開示】
【発明が解決しようとする課題】
【００１４】
本発明は、このような問題点に鑑みて為されたものであり、その目的は巻取紙の紙継ぎ時に巻取紙の先端や耳部が風圧により反り返るのを防止することができ、然も、複雑な構造のタブ貼着装置等を省略できるようにした巻取紙の紙継ぎ用前処理方法及びその装置を提供することにある。
【課題を解決するための手段】
【００１５】
上記目的を達成するために、本発明の請求項１の発明は、正逆回転自在に支持された巻取紙の表層部分を幅方向に切断して除去し、巻取紙の切断された先端部分をテーブル上へ繰り出す巻取紙繰り出し工程と、テーブル上に繰り出された巻取紙の繰り出し部分を略Ｖ字状に切断すると共に、巻取紙の略Ｖ字状の先端部表面に切断端に沿って両面粘着テープを貼着して紙継ぎ用粘着層を形成する切断・粘着層形成工程と、巻取紙の紙継ぎ用粘着層を形成していない先端部の頂点部分を巻取紙の幅方向に切断して巻取紙の先端部を略台形状に形成する切断工程と、長尺状のシート基材の表面に紙継ぎ用粘着層を有すると共に、シート基材の裏面の両側部に巻取紙の先端部表面に貼着される粘着層及び巻取紙の外表面に貼着される表層剥離可能な粘着部を夫々備えた紙継ぎ用前処理テープを、その粘着部が巻取紙の幅方向に切断された先端から前方へ突出する状態で巻取紙の幅方向に切断された先端部表面に切断端に沿って貼着する前処理テープ貼着工程と、巻取紙の先端部を巻取紙本体側へ巻き戻して紙継ぎ用前処理テープの粘着部を巻取紙の外表面へ貼着する巻取紙の先端部止着工程とから構成したことに特徴がある。
【００１６】
本発明の請求項２の発明は、紙継ぎ用粘着層を黒色に形成した水溶性の紙継ぎ用前処理テープを、その粘着層が巻取紙の幅方向に切断された先端から前方へ突出する状態で巻取紙の幅方向に切断された先端部表面に切断端に沿って貼着し、黒色の紙継ぎ用粘着層を巻取紙の紙継ぎを検出するためのセンサー用タブと兼用させたことに特徴がある。
【００１７】
本発明の請求項３の発明は、巻取紙を水平姿勢で正逆回転自在に支持する巻取紙支持装置と、巻取紙支持装置に支持された巻取紙の表層部分を幅方向に切断して巻取紙の切断された先端部分をめくり出す切断剥離装置と、巻取紙から繰り出された先端部分を支持するテーブルと、テーブルの両側上方位置に対向状態で且つテーブルの斜め幅方向へ往復走行自在に配設され、テーブル上に繰り出された巻取紙の繰り出し部分を略Ｖ字状に切断するカッター装置及び略Ｖ字状に切断された巻取紙の先端部表面に切断端に沿って両面粘着テープを貼着して紙継ぎ用粘着層を形成する粘着層形成装置を夫々備えた一対の主処理器と、テーブルの上方位置に一対の主処理器と干渉することなく巻取紙の幅方向へ往復走行自在に配設されたテープ貼着ユニットとから構成されており、前記テープ貼着ユニットは、巻取紙の紙継ぎ用粘着層を形成していない先端部の頂点部分を巻取紙の幅方向に切断する頂点切りカッター装置と、長尺状のシート基材の表面に紙継ぎ用粘着層を有すると共に、シート基材の裏面の両側部に巻取紙の先端部表面に貼着される粘着層及び巻取紙の外表面に貼着される表層剥離可能な粘着部を夫々備えた紙継ぎ用前処理テープを、その粘着部が巻取紙の幅方向に切断された先端から前方へ突出する状態で巻取紙の先端部表面に切断端に沿って貼着する前処理テープ貼着装置とを備えていることに特徴がある。
【００１８】
本発明の請求項４の発明は、前処理テープ貼着装置が、一対の主処理器と干渉することなく巻取紙の幅方向へ往復走行する走行台に昇降自在に配設された昇降板と、昇降板に回転自在に支持された前処理テープ供給リールと、前処理テープ供給リールに着脱自在に支持され、長尺状のシート基材、シート基材の表面に形成された紙継ぎ用粘着層、紙継ぎ用粘着層の表面に剥離自在に貼着された長尺状の保護紙、シート基材の裏面の両側部に夫々形成された粘着層及び表層剥離可能な粘着部を夫々備え、粘着層及び粘着部が外側を向く状態でロール状に巻かれた紙継ぎ用前処理テープと、昇降板に回転自在に支持され、前処理テープの繰り出し部分をテーブル上の巻取紙の先端部表面に押圧貼着する押圧ローラと、昇降板に揺動自在に配設され、前処理テープの繰り出し部分を押圧ローラ上で保持する針を備えたアーム体と、昇降板に回転自在に支持され、押圧ローラ上で剥離された紙継ぎ用前処理テープの保護紙を巻き取る保護紙巻取りリールと、昇降板に配設され、巻取紙の先端部表面に貼着された紙継ぎ用前処理テープを切断するテープ用カッターとから構成されていることに特徴がある。
【００１９】
本発明の請求項５の発明は、紙継ぎ用前処理テープを水溶性とすると共に、紙継ぎ用前処理テープの紙継ぎ用粘着層を黒色に形成し、当該黒色の紙継ぎ用粘着層を巻取紙の紙継ぎを検出するためのセンサー用タブと兼用させたことに特徴がある。
【発明の効果】
【００２０】
本発明の紙継ぎ用前処理方法は、テーブル上に繰り出した巻取紙の繰り出し部分を略Ｖ字状に切断してその切断端に沿って紙継ぎ用粘着層を形成し、又、巻取紙の紙継ぎ用粘着層を形成していない先端部の頂点部分を巻取紙の幅方向に切断して巻取紙の先端部を略台形状に形成し、タブと両面粘着テープとを一体化した構造の紙継ぎ用前処理テープを巻取紙の先端部表面と巻取紙の外表面との間に跨った状態で貼り付け、巻取紙の先端部を巻取紙の外表面へ止着するようにしている。そのため、巻取紙の斜めに切断された両側の切断端は、巻取紙の外表面へスパイラル状になって巻き付けられて巻取紙の外表面へ密接し、又、巻取紙の幅方向に切断された先端は、紙継ぎ用前処理テープで覆われた状態となる。その結果、巻取紙の紙継ぎ時に巻取紙が高速回転したり、或いは巻取紙の紙自体の腰が弱い場合でも、巻取紙の回転中（助走中）に巻取紙の先端及び耳部が風をはらんで反り返ると云うことがない。延いては、巻取紙の紙継ぎ時に、巻取紙の先端部が外表面から外れたり、巻取紙の先端部が変形したり、或いは紙切れを引き起こしたりすると云うことがなく、紙継ぎを確実且つ良好に行える。
又、本発明の紙継ぎ用前処理方法は、黒色の紙継ぎ用粘着層を有する水溶性の紙継ぎ用前処理テープを巻取紙の先端部表面に貼着し、黒色の紙継ぎ用粘着層を巻取紙の紙継ぎを検出するためのセンサー用タブと兼用させているため、巻取紙の先端部にセンサー用タブを貼着する手間やセンサー用タブ貼着装置を省略することができ、作業能率の向上を図れると共に、紙継ぎ用前処理装置自体の構造の簡略化を図れる。然も、紙継ぎ用前処理テープが水溶性になっているため、古紙再生に支障がなくなり、ペースター損紙と他の損紙を分別して回収する必要もなくなる。
【００２１】
本発明の紙継ぎ用前処理装置は、上記方法を好適に実施することができると共に、巻取紙の紙継ぎ時に於ける巻取紙の先端及び耳部の反り返りを確実に防止することができる。
又、本発明の紙継ぎ用前処理装置に於いては、巻取紙の先端部にタブＴの役目を果たす紙継ぎ用前処理テープを貼着する前処理テープ貼着装置が、走行台、昇降板、前処理テープ供給リール、紙継ぎ用前処理テープ、押圧ローラ、アーム体、保護紙巻取りリール及びテープ用カッター等から成り、主処理器の粘着層形成装置と同様構造に構成されている。その結果、本発明の紙継ぎ用前処理装置は、従来のタブ貼着装置のように複雑な構造の装置を必要とすることがなく、センサー用タブ貼着装置を省略できることとも相まって、装置自体の構造の簡略化及びコスト低減を図れる。
【発明を実施するための最良の形態】
【００２２】
以下、本発明の実施の形態を図面に基づいて詳細に説明する。
図１は本発明の実施の形態に係る巻取紙Ｐの紙継ぎ用前処理装置を示し、当該紙継ぎ用前処理装置は、新聞を印刷する印刷用輪転機や雑誌・書籍等を印刷する印刷用輪転機への巻取紙Ｐの搬入経路に据え付けられており、新聞印刷用の巻取紙Ｐや商業印刷用の巻取紙Ｐに紙継ぎ用前処理を施すものである。
【００２３】
即ち、前記紙継ぎ用前処理装置は、巻取紙Ｐの汚損・損傷している表層部分を切断して巻取紙Ｐの奇麗な先端部分をめくり出した後、巻取紙Ｐの先端部を略台形状に切断加工すると共に、切断加工した巻取紙Ｐの先端部表面に略Ｖ字状の紙継ぎ用粘着層１ａを形成するための両面粘着テープ１と巻取紙Ｐの先端部を止めるための紙継ぎ用前処理テープ２とを夫々貼着して巻取紙Ｐに紙継ぎ用前処理を施すものであり、巻取紙支持装置３と、切断剥離装置４と、テーブル５と、一対の主処理器６と、テープ貼着ユニット７と、扱き装置８と、押圧装置９と、損紙処理装置１０等から構成されている。
尚、紙継ぎ用前処理装置の各装置３〜１０は、何れもコンピュータ等の制御装置（図示省略）からの予め設定された信号に従って自動制御されている。
【００２４】
前記巻取紙支持装置３は、無人搬送車Ａにより搬送されて来た巻取紙Ｐ（ワンプ除去済み）を受け取ってこれを昇降自在且つ正逆回転自在に支持するものであり、この巻取紙支持装置３には、特開平１０−１２０２５９号公報や特開平１０−１８１９６５号公報に開示された構造のものが使用されている。
【００２５】
前記切断剥離装置４は、テーブル５上に配置したフレーム１１に設けられており、巻取紙支持装置３に回転支持された巻取紙Ｐの表層部分（汚損・損傷部分）を幅方向に切断すると共に、巻取紙Ｐの切断された先端部分をテーブル５上へめくり出すものである。この切断剥離装置４には、特開平１０−１２０２５９号公報や特開平１０−１８１９６５号公報に開示された構造のものが使用されている。
【００２６】
前記テーブル５は、巻取紙支持装置３の上方位置に水平姿勢又は傾斜姿勢で配置されており、巻取紙支持装置３に支持された巻取紙Ｐから繰り出される巻取紙Ｐの繰り出し部分を支持するものである。このテーブル５には、図３及び図１０に示す如く、巻取紙Ｐの幅方向に切断された先端部表面に紙継ぎ用前処理テープ２を突出状態で貼着する際に、紙継ぎ用前処理テープ２の巻取紙Ｐ先端から突出する部分（粘着部２ｄ）がテーブル５上面へ付着するのを防止する窪み部５ａが形成されている。
又、テーブル５の窪み部５ａの近傍位置には、図３に示す如く、テーブル５上に繰り出された巻取紙Ｐの繰り出し部分を真空吸着によりテーブル５上へ吸引固定する真空吸引機構１２が設けられている。この真空吸引機構１２は、テーブル５に形成した複数の小孔１２ａ、小孔１２ａに連通するチャンバー１２ｂ、チャンバー１２ｂに接続された真空ポンプ（図示省略）等から成る。
【００２７】
前記一対の主処理器６は、図２に示す如く、テーブル５の両側上方位置に対向状態で且つテーブル５の斜め幅方向へ往復走行自在に夫々配設されており、テーブル５上のフレーム１１にテーブル５の上面と平行で且つ巻取紙Ｐの軸線に対して傾斜する姿勢でもって夫々反対向きに配置した一対のガイドレール１３に夫々走行自在に支持されている。
即ち、両主処理器６は、図２及び図４に示す如く、ガイドレール１３に走行自在に支持され、テーブル５上のフレーム１１に設けた駆動装置１４（モータ１４ａ、減速機１４ｂ及びチェーン伝動機構１４ｃ）によりガイドレール１３に沿って往復走行する走行板１５と、走行板１５に昇降自在に支持され、流体圧シリンダ（図示省略）により昇降する昇降板１６と、昇降板１６に設けられ、テーブル５上に繰り出された巻取紙Ｐの繰り出し部分を斜めに切断するカッター装置１７と、昇降板１６に設けられ、巻取紙Ｐの先端部表面に切断端に沿って両面粘着テープ１を貼着して紙継ぎ用粘着層１ａを形成する粘着層形成装置１８とから夫々構成されており、走行板１５を駆動装置１４によりガイドレール１３に沿って往復走行させることによって、テーブル５上に繰り出された巻取紙Ｐの中央部と両側縁部との間をテーブル５の斜め幅方向へ往復走行するようになっている。
【００２８】
具体的には、両主処理器６のカッター装置１７は、図４及び図５に示す如く、アーム１７ａ、円形のカッター刃１７ｂ、リンク（図示省略）及び流体圧シリンダ（図示省略）等から夫々構成されており、リンク及び流体圧シリンダによりアーム１７ａを下方へ揺動させてカッター刃１７ｂをテーブル５上に繰り出されている巻取紙Ｐの繰り出し部分に当接させ、この状態で走行板１５をガイドレール１３に沿って走行させることにより、巻取紙Ｐの繰り出し部分を略Ｖ字状に切断することができるようになっている。
【００２９】
又、両主処理器６の粘着層形成装置１８は、図４及び図５に示す如く、粘着層１ａの表面側に保護紙１ｂを重ね貼りしたロール状の両面粘着テープ１を回転自在に保持するテープ保持リール１９と、両面粘着テープ１の繰り出し部分をテーブル５上の巻取紙Ｐの先端部表面に押圧貼着する押圧ローラ２０と、両面粘着テープ１の繰り出し部分を押圧ローラ２０上で保持する針２１ａを備え、流体圧シリンダ（図示省略）により上下方向へ揺動するアーム体２１と、両面粘着テープ１の保護紙１ｂを巻き取る保護紙巻取りリール２２と、保護紙巻取りリール２２を保護紙１ｂを巻き取る方向へ回転駆動するモータ２３及びロープ伝動機構２４と、両面粘着テープ１の粘着層１ａを切断するテープ用カッター２５と、テープ用カッター２５を往復移動させる流体圧シリンダ２６と、テーブル５上の巻取紙Ｐの先端部をテーブル５側へ押え付ける押え板２７と、押え板２７を上下方向へ揺動操作する流体圧シリンダ２８と、両面粘着テープ１及び剥離された保護紙１ｂを案内するガイドローラ２９と、テープ保持リール１９の空回りを防止するブレーキ板３０と、ブレーキ板３０をテープ保持リール１９へ当接させる流体圧シリンダ３１等から夫々構成されており、各部材は昇降板１６に夫々設けられている。この粘着層形成装置１８には、特開平１０−１２０２５９号公報や特開平１０−１８１９６５号公報に開示された構造のものが使用されている。
尚、両面粘着テープ１は、テープ保持リール１９から繰り出され、粘着層１ａが外側を向くようにして押圧ローラ２０の外周面へ巻き付けられており、針２１ａにより押圧ローラ２０上で保持されていると共に、押圧ローラ２０の外周面位置で保護紙１ｂが粘着層１ａから剥離されて保護紙１ｂのみが保護紙巻取りリール２２へ巻き付けられた状態となっている。
【００３０】
而して、前記粘着層形成装置１８によれば、昇降板１６を下降させて押圧ローラ２０を巻取紙Ｐの先端部表面に押し付けると、粘着層１ａがテーブル５上の巻取紙Ｐの先端部表面に貼着される。この状態で針２１ａによる両面粘着テープ１の保持状態を解除し、走行板１５を駆動装置１４によりガイドレール１３に沿って走行させると、両面粘着テープ１は押圧ローラ２０上で保護紙１ｂが剥離されながらテープ保持リール１９から繰り出されて行く。これにより、巻取紙Ｐの先端部表面には切断端に沿って粘着層１ａのみが押圧ローラ２０により貼着されて行くことになる（図５（Ａ）参照）。又、剥離された保護紙１ｂは、モータ２３及びロープ伝動機構２４により保護紙１ｂを巻き取る方向へ回転している保護紙巻取りリール２２に順次巻き取られて行く。
巻取紙Ｐの先端部表面に所定長さの粘着層１ａが形成されると、走行板１５の移動が停止され、この位置で昇降板１６が若干上昇して押圧ローラ２０を持ち上げると共に、針２１ａにより両面粘着テープ１を押圧ローラ２０上で保持し、この状態でテープ用カッター２５により粘着層１ａが切断される（図５（Ｂ）参照）。これにより、巻取紙Ｐの先端部表面に切断端に沿って紙継ぎ用粘着層１ａが形成される。このとき、テーブル５上の巻取紙Ｐの先端部分は、押え板２７によりテーブル５から浮き上がるのを防止されている。
【００３１】
前記テープ貼着ユニット７は、テーブル５の上方位置に一対の主処理器６と干渉することなく巻取紙Ｐの幅方向へ往復走行自在に配設されており、巻取紙Ｐの紙継ぎ用粘着層１ａを形成していない先端部の頂点部分を巻取紙Ｐの幅方向に切断して巻取紙Ｐの先端部を略台形状に切断加工する共に、巻取紙Ｐの先端部を止めるための水溶性の紙継ぎ用前処理テープ２（タブと紙継ぎ用粘着層を形成するための両面粘着テープとを一体化した構造のテープ）を巻取紙Ｐの幅方向に切断された先端部表面に切断端に沿って突出状態で貼着するものである。
即ち、テープ貼着ユニット７は、図６及び図７に示す如く、テーブル５上のフレーム１１にテーブル５の上面と平行で且つ巻取紙Ｐの軸線と平行に配設したガイドレール３２に一対の主処理器６と干渉することなく走行自在に支持され、フレーム１１に設けた駆動装置３３（モータ３３ａ及びボールネジ機構３３ｂ）によりガイドレール３２に沿って往復走行する走行台３４と、走行台３４にガイドレール３５を介して昇降自在に支持され、流体圧シリンダ３６により昇降する昇降板３７と、走行台３４に設けられ、巻取紙Ｐの紙継ぎ用粘着層１ａを形成していない先端部の頂点部分を巻取紙Ｐの幅方向に切断して巻取紙Ｐの先端部を略台形状に形成する頂点切りカッター装置３８と、巻取紙Ｐの幅方向に切断された先端部表面に切断端に沿って紙継ぎ用前処理テープ２を突出状態で貼着する主処理器６の粘着層形成装置１８と同様構造の前処理テープ貼着装置３９とから構成されており、走行台３４を駆動装置３３によりガイドレール３２に沿って往復走行させることによって、巻取紙Ｐの幅方向へ往復走行するようになっている。
【００３２】
尚、紙継ぎ用前処理テープ２は、図８に示す如く、紙製の長尺状のシート基材２ａと、シート基材２ａの表面全域に形成され、印刷用輪転機へ繰り出されている巻取紙Ｐの走行部分に貼着される紙継ぎ用粘着層２ｂと、シート基材２ａの裏面の一方の側部にシート基材２ａの長手方向に沿って形成され、切断加工された巻取紙Ｐの先端部表面に貼着される粘着層２ｃと、シート基材２ａの裏面の他方の側部にシート基材２ａの長手方向に沿って形成され、巻取紙Ｐの外表面へ貼着される表層剥離可能な両面粘着テープ構造の粘着部２ｄと、シート基材２ａの紙継ぎ用粘着層２ｂの表面に剥離自在に貼着され長尺状の保護紙２ｅとから構成されており、保護紙２ｅが外側を向く状態でロール状に巻かれている。
又、紙継ぎ用前処理テープ２は、その紙継ぎ用粘着層２ｂが黒色に形成されており、この黒色の紙継ぎ用粘着層２ｂを巻取紙Ｐの紙継ぎ時に自動紙継ぎが行われたか否かを検知するためのセンサー用タブと兼用させている。
【００３３】
テープ貼着ユニット７の頂点切りカッター装置３８は、図６及び図９に示す如く、走行台３４に鉛直姿勢で設けた流体圧シリンダ３８ａと、流体圧シリンダ３８ａのロッドに取り付けた円形のカッター刃３８ｂとから構成されており、流体圧シリンダ３８ａを伸長動作させてカッター刃３８ｂをテーブル５上の巻取紙Ｐの先端部に当接させ、この状態で走行台３４をガイドレール３２に沿って走行させることにより、巻取紙Ｐの先端部の頂点部分を巻取紙Ｐの幅方向に切断することができるようになっている。
【００３４】
テープ貼着ユニット７の前処理テープ貼着装置３９は、紙継ぎ用前処理テープ２をその粘着部２ｄが巻取紙Ｐの幅方向に切断された先端から前方へ突出する状態で巻取紙Ｐの幅方向に切断された先端部表面に切断端に沿って貼着するものであり、図９及び図１０に示す如く、走行台３４にガイドレール３５を介して昇降自在に支持され、流体圧シリンダ３６により昇降する昇降板３７と、昇降板３７に回転自在に支持され、ロール状の紙継ぎ用前処理テープ２を着脱自在に保持する前処理テープ供給リール４０と、昇降板３７に回転自在に支持され、紙継ぎ用前処理テープ２の繰り出し部分をテーブル５上の巻取紙Ｐの先端部表面に押圧貼着する押圧ローラ４１と、昇降板３７に揺動自在に支持され、紙継ぎ用前処理テープ２の繰り出し部分を押圧ローラ４１上で保持する針４２ａを備えたアーム体４２と、アーム体４２を揺動操作する流体圧シリンダ４３と、昇降板３７に回転自在に支持され、紙継ぎ用前処理テープ２の保護紙２ｅを巻き取る保護紙巻取りリール４４と、保護紙巻取りリール４４を保護紙２ｅの巻き取り方向へ回転駆動するモータ４５及びロープ伝動機構４６と、昇降板３７に移動自在に支持され、紙継ぎ用前処理テープ２を切断するテープ用カッター４７と、テープ用カッター４７を往復移動させる流体圧シリンダ４８と、昇降板３７に揺動自在に支持され、テーブル５上の巻取紙Ｐの先端部を押え付ける押えローラ４９と、押えローラ４９を揺動操作する流体圧シリンダ５０と、紙継ぎ用前処理テープ２及び保護紙２ｅを案内するガイドローラ５１等から構成されている。
又、紙継ぎ用前処理テープ２は、前処理テープ供給リール４０から繰り出され、粘着層２ｃ及び粘着部２ｄが外側を向くようにして押圧ローラ４１の外周面へ巻き付けられており、アーム体４２の針４２ａにより押圧ローラ４１上で保持されていると共に、押圧ローラ４１の外周面位置で保護紙２ｅが紙継ぎ用粘着層２ｂから剥離されて保護紙２ｅのみが保護紙巻取りリール４４へ巻き付けられた状態となっている。
尚、図９に於いて、５２はリール回転確認用近接スイッチ、５３はテープ残量確認用光電スイッチ、５４は保護紙切断検出用光電スイッチである。
【００３５】
而して、前記前処理テープ貼着装置３９によれば、走行台３４により前処理テープ貼着装置３９を移動させ、紙継ぎ用前処理テープ２を幅方向に一直線状に切断加工された巻取紙Ｐの先端部とテーブル５上面に跨る状態で巻取紙Ｐの先端部に対向させる。この状態で昇降板３７を下降させて押圧ローラ４１を巻取紙Ｐの先端部表面に押し付けると、粘着層２ｃがテーブル５上の巻取紙Ｐの先端部表面に貼着される。その後、針４２ａによる紙継ぎ用前処理テープ２の保持状態を解除し、走行台３４を巻取紙Ｐの幅方向へ走行させる。そうすると、紙継ぎ用前処理テープ２は、押圧ローラ４１上で保護紙２ｅが剥離されながら前処理テープ供給リール４０から繰り出されて行き、巻取紙Ｐの先端部表面には切断端に沿って保護紙２ｅが剥離された紙継ぎ用前処理テープ２が押圧ローラ４１により貼着されて行くことになる（図１１（Ａ）参照）。このとき、紙継ぎ用前処理テープ２は、その粘着部２ｄが巻取紙Ｐの先端から前方へ突出する状態で巻取紙Ｐの先端部表面に貼着されるが、テーブル５に窪み部５ａを形成しているために粘着部２ｄがテーブル５上面に付着することもない。又、剥離された保護紙２ｅは、モータ４５及びロープ伝動機構４６により保護紙２ｅを巻き取る方向へ回転している保護紙巻取りリール４４に順次巻き取られて行く。
巻取紙Ｐの先端部表面に所定長さの紙継ぎ用前処理テープ２が貼着されると、走行台３４の移動が停止され、この位置で昇降板３７が若干上昇して押圧ローラ４１を持ち上げると共に、針４２ａにより紙継ぎ用前処理テープ２を押圧ローラ上４１で保持し、この状態でテープ用カッター４７により紙継ぎ用前処理テープ２が切断される（図１１（Ｂ）参照）。これにより、巻取紙Ｐの先端部表面に切断端に沿って紙継ぎ用前処理テープ２が突出状態で貼着される。このとき、テーブル５上の巻取紙Ｐの先端部分は、押えローラ４９によりテーブル５から浮き上がるのを防止されているため、テープ用カッター４７により傷付けられることもない。
【００３６】
この実施の形態に於いては、テープ貼着ユニット７は、頂点切りカッター装置３８が巻取紙Ｐの略Ｖ字状の先端部の頂点部分を巻取紙Ｐの幅方向に約１２０ｍｍ程度切断し、又、前処理テープ貼着装置３９が巻取紙Ｐの幅方向に切断された先端部表面に約１２０ｍｍの長さの紙継ぎ用前処理テープ２を貼着できるように駆動制御されている。
【００３７】
前記扱き装置８は、テーブル５上のフレーム１１に設けられており、テーブル５上に繰り出されている巻取紙Ｐの先端部を巻取紙Ｐの外表面上で軽く扱きながら巻き戻し、巻取紙Ｐの外表面へ皺ができないように巻取紙Ｐの先端部を巻取紙Ｐの外表面へ密着状態で巻き付けて行くものである。この扱き装置８には、特開平１０−１２０２５９号公報や特開平１０−１８１９６５号公報に開示された構造のものが使用されている。
【００３８】
前記押圧装置９は、テーブル５上のフレーム１１に設けられており、テーブル５上に繰り出されている巻取紙Ｐの先端部を巻き戻す際に、紙継ぎ用前処理テープ２の巻取紙Ｐの先端から突出する部分（粘着部２ｄ）を巻取紙Ｐの外表面へ押し付けながら貼着するものである。この扱き装置８には、特開平１０−１２０２５９号公報や特開平１０−１８１９６５号公報に開示された構造のものが使用されている。
【００３９】
前記損紙処理装置１０は、テーブル５の下流側位置に配設されており、テーブル５から排出された巻取紙Ｐの表層部分（損紙）を丸く巻き取った後、偏平状に押し潰して排出するものである。この損紙処理装置１０には、特公平４−７０２１５号公報に開示された構造のものが使用されている。
【００４０】
次に、上述した巻取紙Ｐの紙継ぎ用前処理装置を用いて新聞印刷用の巻取紙Ｐに紙継ぎ用前処理を施す場合について説明する。
【００４１】
無人搬送車Ａにより搬送されて来た巻取紙Ｐが巻取紙支持装置３により無人搬送車Ａから所定の高さ位置まで持ち上げられて回転自在に支持されると、切断剥離装置４が作動して巻取紙Ｐの汚損・損傷している表層部分を幅方向に亘って切断すると共に、切断剥離装置４及び巻取紙支持装置３の協同作用により巻取紙Ｐの表層部分の切断端がテーブル５上に繰り出されて行く（図１２（Ａ）〜（Ｃ）参照）。このとき、巻取紙Ｐは、探傷用カメラ及び光源等から成る探傷用センサー（図示省略）により汚損や損傷が検出されつつ、テーブル５上に順次繰り出されて行く。又、テーブル５上に繰り出されてテーブル５の下流側から排出される巻取紙Ｐの繰り出し部分は、損紙処理装置１０により順次丸く巻き取られて行く。
【００４２】
巻取紙Ｐの奇麗な部分がテーブル５上へ繰り出された時点で巻取紙Ｐの繰り出しが停止されると共に、テーブル５の真空吸引機構１２が作動して巻取紙Ｐの繰り出し部分をテーブル５上面に吸引固定する。そうすると、左右の主処理器６が作動し、各主処理器６のカッター装置１７によりテーブル５上に繰り出されている巻取紙Ｐの繰り出し部分が略Ｖ字状に切断されると共に、各主処理器６の粘着層形成装置１８により略Ｖ字状に切断された巻取紙Ｐの先端部表面に切断端に沿って紙継ぎ用粘着層１ａが形成される（図１２（Ｄ）参照）。
【００４３】
巻取紙Ｐの繰り出し部分が略Ｖ字状に切断されてその表面に紙継ぎ用粘着層１ａが形成されると、引き続きテープ貼着ユニット７が作動し、テープ貼着ユニット７の頂点切りカッター装置３８により巻取紙Ｐの紙継ぎ用粘着層１ａを形成していない先端部の頂点部分が巻取紙Ｐの幅方向に切断される。これにより、巻取紙Ｐの先端部が略台形状に形成されると共に、巻取紙Ｐの表層部分（損紙）が分離される（図１２（Ｅ）参照）。このとき、分離された巻取紙Ｐの表層部分（損紙）は、テーブル５から排出されて損紙処理装置１０へ送り込まれ、損紙処理装置１０によって丸く巻き取られた後、偏平状に押し潰されて排出される。
【００４４】
巻取紙Ｐの先端部の頂点部分が頂点切りカッター装置３８により幅方向に切断されると、テープ貼着ユニット７の前処理テープ貼着装置３９により巻取紙Ｐの先端部表面に切断端に沿って紙継ぎ用前処理テープ２が突出状態で貼着される（図１２（Ｆ）参照）。このとき、紙継ぎ用前処理テープ２は、その粘着部２ｄが巻取紙Ｐの先端から前方へ突出する状態で且つ紙継ぎ用粘着層２ｂの保護紙２ｅが剥離された状態で巻取紙Ｐの先端部表面に貼着される（図１０参照）。
【００４５】
最後に、巻取紙支持装置３、扱き装置８及び押圧装置９が作動し、テーブル５上に繰り出されている巻取紙Ｐの先端部が扱き装置８及び巻取紙支持装置３の協同作用により扱かれながら巻き戻されると共に、紙継ぎ用前処理テープ２が押圧装置９により巻取紙Ｐの外表面へ押圧されて紙継ぎ用前処理テープ２の粘着部２ｄが巻取紙Ｐの外表面へ止着される（図１２（Ｅ）参照）。従って、紙継ぎ用前処理テープ２は、巻取紙Ｐの先端部及び巻取紙Ｐの外表面へ跨った状態で貼着されることになり、巻取紙Ｐの先端部を巻取紙Ｐ外表面へ止着することになる（図１３（Ａ）及び（Ｂ）参照）。
【００４６】
このようにして、紙継ぎ用前処理が施された巻取紙Ｐは、印刷用輪転機の給紙部に配設した巻取紙支持装置（図示省略）のアームに装着され、使用中の巻取紙Ｐ′の残量が少なくなったら、巻取紙Ｐの回転駆動装置（図示省略）により印刷用輪転機へ一定速度で繰り出されている使用中の巻取紙Ｐ′と同じ周速度で回転せしめられる。このとき、新しい巻取紙Ｐは、略Ｖ字状に切断された両端の切断端が巻取紙Ｐの外表面へスパイラル状になって巻き付けられて巻取紙Ｐの外表面へ密接し、又、巻取紙Ｐの幅方向に切断された先端が紙継ぎ用前処理テープ２で覆われた状態になっているため、巻取紙Ｐの紙継ぎ時に巻取紙Ｐが高速回転したり、或いは巻取紙Ｐの紙自体の腰が弱い場合でも、巻取紙Ｐの回転中（助走中）に巻取紙Ｐの先端及び耳部が風をはらんで反り返ると云うことがなく、台風並みの風速に耐えられることになる。
そして、使用中の巻取紙Ｐ′の繰り出し速度と新しい巻取紙Ｐの周速度とが同じになったことを電気的に確認したら、使用中の巻取紙Ｐ′の走行部分がブラシ等の押圧装置（図示省略）により新しい巻取紙Ｐの外表面へ押し付けられて圧着される。これにより、使用中の巻取紙Ｐ′の走行部分と新しい巻取紙Ｐの始端部とが略Ｖ字状の紙継ぎ用粘着層１ａ及び紙継ぎ用前処理テープ２の紙継ぎ用粘着層２ｂにより貼着接続されると共に、紙継ぎ用前処理テープ２の粘着部２ｄが表層剥離する（図１４参照）。その後、使用中の巻取紙Ｐ′の走行部分が切断装置（図示省略）により幅方向に亘って切断される。その結果、新しい巻取紙Ｐの始端部は、巻取紙Ｐの外表面から外れて印刷用輪転機へ連続的に供給されて行くことになる。
このとき、新しい巻取紙Ｐの先端部は、略Ｖ字状の紙継ぎ用粘着層１ａと紙継ぎ用前処理テープ２の紙継ぎ用粘着層２ｂとより使用中の巻取紙Ｐ′の走行部分に幅方向全域に亘って貼着接続されているため、紙継ぎ部分がターンバーやガイドロールを通過する際に巻取紙Ｐの先端及び耳部がターンバーやガイドロール上で反り返ると云うことがない。
【００４７】
尚、上記実施の形態に於いては、巻取紙Ｐの略Ｖ字状に切断された先端部の頂点部分を少しだけ巻取紙Ｐの幅方向へ切断し、巻取紙Ｐの先端部を長さの短い紙継ぎ用前処理テープ２で巻取紙Ｐの外表面へ止着するようにしたが、他の実施の形態に於いては、図１５（Ａ）に示す如く、巻取紙Ｐの略Ｖ字状に切断された先端部の頂点部分を巻取紙Ｐの幅の半分位の長さに亘って巻取紙Ｐの幅方向へ切断し、巻取紙Ｐの先端部を長めの紙継ぎ用前処理テープ２で巻取紙Ｐの外表面へ止着するようにしても良く、或いは図１５（Ｂ）に示す如く、巻取紙Ｐの略Ｖ字状に切断された先端部を巻取紙Ｐの幅よりも少しだけ短くなる幅で巻取紙Ｐの幅方向へ切断し、巻取紙Ｐの先端部を長い紙継ぎ用前処理テープ２で巻取紙Ｐの外表面へ止着するようにしても良い。これらの場合でも、巻取紙Ｐの紙継ぎ時に於ける巻取紙Ｐの先端及び耳部の反り返りを確実に防止することができると共に、紙継ぎ部分がターンバーやガイドロールを通過する際に於いてもターンバーやガイドロール上での巻取紙Ｐの先端及び耳部の反り返りを確実に防止することができる。
【図面の簡単な説明】
【００４８】
【図１】本発明の実施の形態に係る巻取紙の紙継ぎ用前処理装置の概略側面図である。
【図２】紙継ぎ用前処理装置の要部の平面図である。
【図３】テーブルの平面図である。
【図４】テーブル上方をガイドレールに沿って走行移動する主処理器の概略正面図である。
【図５】主処理器の粘着層形成装置の作動状態を示す説明図である。
【図６】テーブル上方をガイドレールに沿って走行移動するテープ貼着ユニットの概略背面図である。
【図７】同じくテープ貼着ユニットの一部省略側面図である。
【図８】紙継ぎ用前処理テープの斜視図である。
【図９】テープ貼着ユニットの拡大正面図である。
【図１０】テープ貼着ユニットの一部省略拡大側面図である。
【図１１】テープ貼着ユニットの前処理テープ貼着装置の作動状態を示す説明図である。
【図１２】巻取紙の紙継ぎ用前処理の各工程を示す概略説明図である。
【図１３】紙継ぎ用前処理を施した巻取紙を示し、（Ａ）は巻取紙全体の斜視図、（Ｂ）は巻取紙の要部の拡大正面図である。
【図１４】紙継ぎ用前処理を施した巻取紙の先端部が走行紙に接続されて引き出されて行く状態の斜視図である。
【図１５】紙継ぎ用前処理を施した他の例を示す巻取紙の斜視図である。
【図１６】従来の紙継ぎ用前処理を施した巻取紙の斜視図である。
【図１７】同じく従来の紙継ぎ用前処理を施した巻取紙の斜視図である。
【図１８】印刷用輪転機に於ける給紙部の概略説明図である。
【符号の説明】
【００４９】
１は両面粘着テープ、１ａは紙継ぎ用粘着層、２は紙継ぎ用前処理テープ、２ａはシート基材、２ｂは紙継ぎ用粘着層、２ｃは粘着層、２ｄは粘着部、３は巻取紙支持装置、４は切断剥離装置、５はテーブル、６は主処理器、７はテープ貼着ユニット、１７はカッター装置、１８は粘着層形成装置、３４は走行台、３７は昇降板、３８は頂点切りカッター装置、３９は前処理テープ貼着装置、４０は前処理テープ供給リール、４１は押圧ローラ、４２はアーム体、４２ａはアーム体の針、４４は保護紙巻取りリール、４７はテープ用カッター、Ｐは巻取紙。
【図１】
2006036372.tif 000003
【図２】
2006036372.tif 000004
【図３】
2006036372.tif 000005
【図４】
2006036372.tif 000006
【図５】
2006036372.tif 000007
【図６】
2006036372.tif 000008
【図７】
2006036372.tif 000009
【図８】
2006036372.tif 000010
【図９】
2006036372.tif 000011
【図１０】
2006036372.tif 000012
【図１１】
2006036372.tif 000013
【図１２】
2006036372.tif 000014
【図１３】
2006036372.tif 000015
【図１４】
2006036372.tif 000016
【図１５】
2006036372.tif 000017
【図１６】
2006036372.tif 000018
【図１７】
2006036372.tif 000019
【図１８】
2006036372.tif 000020